(57)【特許請求の範囲】
【請求項１】
当該情報処理装置以外の電子機器と双方向データ通信を行う情報処理装置と、
入力データに対して所定の画像処理を行う画像処理装置と、
無線回線により双方向データ通信を行い、前記画像処理装置を遠隔制御する遠隔制御装置とから構成される電源制御システムであって、
前記画像処理装置は、
前記情報処理装置と双方向データ通信を行う第１の通信手段と、
前記画像処理装置の本体に電力供給する第１の電源と異なる第２の電源から電力供給され、前記第１の通信手段に比べて少ない電力で動作する第２の通信手段と、
前記画像処理装置の電源を制御する電源制御手段とを有し、
前記遠隔制御装置が、前記情報処理装置からの要求に従って前記画像処理装置の電源を制御する制御コマンドを前記画像処理装置に送信し、
前記画像処理装置が、前記遠隔制御装置から送信された前記制御コマンドを、前記第２の通信手段により受信し、
前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御することを特徴とする電源制御システム。
【請求項２】
前記画像処理装置が、
前記画像処理装置の動作状況、又は今後行われる動作の予約状況を基に、前記第１の電源をオフすることを許可するか否かを判定する判定手段を有し、
前記電源制御手段は、
前記第２の通信手段により受信した前記制御コマンドが前記第１の電源オフを指示するコマンドであった場合に、
前記判定手段の判定結果に基づいて、前記第１の電源をオフすることを特徴とする請求項１に記載の電源制御システム。
【請求項３】
前記画像処理装置が、
前記画像処理装置の状態情報を収集し所定の記憶領域に保持する保持手段を有し、
前記第２の通信手段により受信した前記制御コマンドが前記状態情報の取得を要求するコマンドであった場合に、
前記制御コマンドに従って、前記保持手段により保持している前記状態情報を、取得要求元へ応答することを特徴とする請求項１又は２に記載の電源制御システム。
【請求項４】
前記遠隔制御装置は、
前記情報処理装置から送信される通信相手を識別する通信相手識別情報に基づいて、前記制御コマンドを送信し制御する前記画像処理装置との通信を確立することを特徴とする請求項１ないし３のいずれか一項に記載の電源制御システム。
【請求項５】
前記遠隔制御装置は、
前記通信相手識別情報を管理する管理情報を有し、
前記情報処理装置から前記状態情報の取得が要求された場合に、
前記管理情報に基づいて前記画像処理装置から取得した前記状態情報を、前記情報処理装置へ応答することを特徴とする請求項１ないし４のいずれか一項に記載の電源制御システム。
【請求項６】
前記画像処理装置は、
前記第１の電源がオフされ待機状態であった場合に、
前記第２の通信手段により受信した前記制御コマンドに従って、前記電源制御手段により、前記第１の電源をオンの状態にし、
前記情報処理装置から送信された前記入力データを、前記第１の通信手段により受信し、前記所定の画像処理を実行することを特徴とする請求項１ないし５に記載の電源管理システム。
【請求項７】
入力データに対して所定の画像処理を行う画像処理装置であって、
当該画像処理装置以外の電子機器と双方向データ通信を行う第１の通信手段と、
当該画像処理装置の本体に電力供給する第１の電源と異なる第２の電源から電力供給され、前記第１の通信手段に比べて少ない電力で動作する第２の通信手段と、
前記第２の通信手段により受信した、当該画像処理装置の電源を制御する制御コマンドに従って、前記第１の電源のオン／オフを制御する電源制御手段とを有し、
前記電源制御手段は、
前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御することを特徴とする画像処理装置。
【請求項８】
当該画像処理装置は、
前記画像処理装置の動作状況、又は今後行われる動作の予約状況を基に、前記第１の電源をオフすることを許可するか否かを判定する判定手段を有し、
前記電源制御手段は、
前記第２の通信手段により受信した前記制御コマンドが前記第１の電源オフを指示するコマンドであった場合に、
前記判定手段の判定結果に基づいて、前記第１の電源をオフすることを特徴とする請求項７に記載の画像処理装置。
【請求項９】
前記画像処理装置は、
前記画像処理装置の状態情報を収集し所定の記憶領域に保持する保持手段を有し、
前記第２の通信手段により受信した前記制御コマンドが前記状態情報の取得を要求するコマンドであった場合に、
前記制御コマンドに従って、前記保持手段により保持している前記状態情報を、取得要求元へ応答することを特徴とする請求項７又は８に記載の画像処理装置。
【請求項１０】
当該情報処理装置以外の電子機器と双方向データ通信を行う情報処理装置と、
前記情報処理装置と双方向データ通信を行う第１の通信手段と、
前記画像処理装置の本体に電力供給する第１の電源と異なる第２の電源から電力供給され、前記第１の通信手段に比べて少ない電力で動作する第２の通信手段と、
前記画像処理装置の電源を制御する電源制御手段とを備える画像処理装置と、
無線回線により双方向データ通信を行い、前記画像処理装置を遠隔制御する遠隔制御装置とから構成される電源制御システムにおける電源制御方法であって、
前記遠隔制御装置が、前記情報処理装置からの要求に従って前記画像処理装置の電源を制御する制御コマンドを前記画像処理装置に送信し、
前記画像処理装置が、前記遠隔制御装置から送信された前記制御コマンドを、前記第２の通信手段により受信し、
前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御することを特徴とする電源制御方法。
【請求項１１】
当該情報処理装置以外の電子機器と双方向データ通信を行う情報処理装置と、
前記情報処理装置と双方向データ通信を行う第１の通信手段と、
前記画像処理装置の本体に電力供給する第１の電源と異なる第２の電源から電力供給され、前記第１の通信手段に比べて少ない電力で動作する第２の通信手段と、
前記画像処理装置の電源を制御する電源制御手段とを備える画像処理装置と、
無線回線により双方向データ通信を行い、前記画像処理装置を遠隔制御する遠隔制御装置とから構成される電源制御システムにおける電源制御プログラムであって、
コンピュータに、
前記遠隔制御装置が、前記情報処理装置からの要求に従って前記画像処理装置の電源を制御する制御コマンドを前記画像処理装置に送信し、
前記画像処理装置が、前記遠隔制御装置から送信された前記制御コマンドを、前記第２の通信手段により受信し、
前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御するように実行させる電源制御プログラム。
【請求項１２】
入力データに対して所定の画像処理を行う画像処理装置における電源制御プログラムであって、
コンピュータに、
当該画像処理装置以外の電子機器と双方向データ通信を行う第１の通信手段と、
当該画像処理装置の本体に電力供給する第１の電源と異なる第２の電源から電力供給され、前記第１の通信手段に比べて少ない電力で動作する第２の通信手段と、
前記第２の通信手段により受信した、当該画像処理装置の電源を制御する制御コマンドに従って、前記第１の電源のオン／オフを制御する電源制御手段を機能させ、
前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御するように実行させる画像処理装置における電源制御プログラム。
【発明の詳細な説明】
【技術分野】
【０００１】
本発明は、当該システム内に設置された画像処理装置を遠隔操作により電源制御可能な電源制御システム、画像処理装置、電源制御方法、及び電源制御プログラムに関するものである。
【背景技術】
【０００２】
従来、プリンタの電源は、当該プリンタ本体面にあるスイッチを用いて手動で電源オン／オフを行っている。このことから、ネットワークに複数のプリンタが接続されている画像形成システムでは、各プリンタの電源をユーザ自身が手動でオン／オフを行わなければならない。この作業は、ユーザにとって煩雑である。このような状況から、電源の消し忘れが発生した場合には、無駄な電力を消費するといった問題が発生する。
【０００３】
上記問題を解決するため、プリンタが接続されているネットワークに接続される情報処理端末（ＰＣ：Personal Computer）の動作状況に応じて、プリンタの電源を自動的にオン／オフする技術が提案されている。例えば、従来技術として、特許文献１には、複数のクライアントＰＣと、この複数のクライアントＰＣに接続可能な１台のネットワークプリンタとがサーバを介して接続されるプリンタシステムにおいて、ネットワークプリンタが、複数のクライアントＰＣからのリモートコントロールにて電源のオン／オフを制御する電源制御手段と、この電源制御手段により複数のクライアントＰＣのうち、１台のクライアントＰＣから電源オフの指示がなされた場合に、指示したクライアントＰＣ以外の他のクライアントＰＣとの接続状況を確認する接続状況確認手段とを有し、電源制御手段において、接続状況確認手段により確認された接続状況の情報に基づいて電源オフ可能な状態と判断したときに電源をオフするように制御することが開示されている。
【０００４】
また、他の従来技術として、特許文献２には、複数のＰＣとネットワークで接続され、複数のＰＣのうち特定のＰＣからのアクセスのみを許可して印刷処理を行うネットワークプリンタが、アクセスを許可するＰＣの電源オン／オフ状態を検出する検出手段と、ネットワークプリンタの電源のオン／オフする電源オン／オフ手段と、アクセスを許可するＰＣの全てが電源オフ状態であることを検出手段が検出した場合に、電源オン／オフ手段に電源をオフさせる制御手段とを備えていることが開示されている。特許文献３には、全てのＰＣからプリンタの電源を起動／停止指示する通知手段を持たせ、全てのＰＣから電源オフ要求が来た状態で初めてプリンタの電源を自動オフするプリンタシステムが開示されている。
【特許文献１】特開２０００−２０１７９号公報
【特許文献２】特開２００２−６３００６号公報
【特許文献３】特開２００６−１１４６号公報
【発明の開示】
【発明が解決しようとする課題】
【０００５】
しかしながら、上記特許文献１及び特許文献２に開示されている従来技術では、自動的に電源をオン／オフする手段（自動電源制御手段）と、画像処理装置本体から手動で電源をオン／オフする手段（電源スイッチ）とが同時に動作する場合に発生する問題点について考慮されていない。すなわち、画像処理装置では、機器の設定や機器単体の機能を得るために、装置本体に付属の電源スイッチが必須である。この本体附属の電源スイッチと、自動電源制御手段と、複数の電源切り替え手段が同時に存在することにより、以下のような問題が発生する。
【０００６】
まず第一に、複数のユーザが同じ画像処理装置を使用している状況で、自動電源制御手段を用いて最適な電源状態を制御しているにも関わらず、特定のユーザが画像処理装置本体の電源をオフしてしまうことで、印刷などの画像処理装置が有する機能を、別のユーザが利用不可能となり、最適な電源状態が維持できなくなるといった問題点がある。
【０００７】
また、機密印刷や時刻指定印刷（タイマー印刷）のような、特定のユーザによって所定の印刷処理が予約されている場合に、別のユーザが画像処理装置本体の電源をオフしてしまうことで、予約されている印刷が行うことができなくなるといった問題点がある。
【０００８】
更に、複数のＰＣとＰＣから共有して使用される画像処理装置とがネットワークで接続されるホームネットワーク環境では、画像処理装置とＰＣとが別々の空間に設置されている場合がある。例えば、画像処理装置とＰＣが１階と２階、もしくは別々の部屋に設定されているなどである。このような状況では、画像処理装置を使用しているユーザが、画像処理装置が設置されている位置から見えない場所に居ることになるため、画像処理装置本体の電源をオフしても良いのか否かの判断に困ってしまう。
【０００９】
しかし、上記のような問題点があるからといって、自動電源制御を行っている最中に画像処理装置本体の電源をオフすること（本体付属の電源スイッチから電源をオフすること）ができないようにすると、画像処理装置の保守を行う管理者にとって都合が悪く、画像処理装置が無駄に電力を消費するといった問題が発生してしまう。その他にも、自動電源制御手段を用いて、最適な電源状態を制御していても、実際には、画像処理装置が利用されない可能性もあるなど、従来の電源管理方法には様々な問題点が存在する。
【００１０】
そこで、上記問題点を解決する従来技術の一例が特許文献３に開示されている。この従来技術は、同じネットワークに接続される画像処理装置とＰＣを１つの集合体として捉え、複数のＰＣが特定の画像処理装置に対して所望する電源オン／オフ状態を、所定の情報として記憶する記憶手段として画像処理装置に備えた上で管理し、全てのＰＣから電源オフ要求された場合でなければ画像処理装置の電源をオフできなくする構成としたことにより、画像処理装置において不用意な電源オフによる利便性の低下を防止する技術である。
【００１１】
しかしながら、自動で電源オン／オフされ、かつＰＣを使用しているユーザの総意によって画像処理装置の電源状態が決定されるため、電源オフ状態になるのは、例えば、オフィス環境では退社時などの大きな業務サイクルでしか機能を発揮することができない。
【００１２】
最近の画像処理装置は、ユーザの利便性と省エネ対応により電源復帰時間（電源オフ状態からオン状態へ移行し装置が利用可能となるまでの時間）も高速になり、電源がオンされてからすぐに使用可能となるものも少なくない。このため、なるべく頻繁に電源をオフすることが最良の省エネ効果を生むことになる。しかし、自動で電源をオン／オフするために、ＰＣなどの外部機器から電源オン／オフを制御する信号を受信するため、画像処理装置が備えるネットワークＩ／Ｆ（ＮＩＣ：Network Interface Controller）などを常に待機状態にしておかなければならない。このことから、画像処理装置待機時の消費電力を、通信Ｉ／Ｆを動作させるために必要な電力（一定の水準）より低下させることができない。
【００１３】
このように、従来の画像処理装置では、待機時の消費電力を一定の水準より低下させた状態で、ＰＣなどの外部機器から送信される制御コマンドにより、最適な電源オン／オフ制御を行うことができないという問題点がある。
【００１４】
本発明では、上記従来技術の問題点に鑑み、制御対象である画像処理装置において、遠隔操作による最適な電源制御が可能な消費電力を最低水準にまで低下させた装置待機状態を実現することができる電源制御システム、画像処理装置、電源制御方法、及び電源制御プログラムを提供することを目的とする。
【課題を解決するための手段】
【００１５】
上記目的を達成するため、本発明の電源制御システムは、当該情報処理装置以外の電子機器と双方向データ通信を行う情報処理装置と、入力データに対して所定の画像処理を行う画像処理装置と、無線回線により双方向データ通信を行い、前記画像処理装置を遠隔制御する遠隔制御装置とから構成される電源制御システムであって、前記画像処理装置が、前記情報処理装置と双方向データ通信を行う第１の通信手段と、前記画像処理装置の本体に電力供給する第１の電源と異なる第２の電源から電力供給され、前記第１の通信手段に比べて少ない電力で動作する第２の通信手段と、前記画像処理装置の電源を制御する電源制御手段とを有し、前記遠隔制御装置が、前記情報処理装置からの要求に従って前記画像処理装置の電源を制御する制御コマンドを前記画像処理装置に送信し、前記画像処理装置が、前記遠隔制御装置から送信された前記制御コマンドを、前記第２の通信手段により受信し、前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御することを特徴とする。
【００１６】
また、上記目的を達成するため、本発明の電源制御システムは、前記画像処理装置が、前記画像処理装置の動作状況、又は今後行われる動作の予約状況を基に、前記第１の電源をオフすることを許可するか否かを判定する判定手段を有し、前記電源制御手段において、前記第２の通信手段により受信した前記制御コマンドが前記第１の電源オフを指示するコマンドであった場合に、前記判定手段の判定結果に基づいて、前記第１の電源をオフすることを特徴とする。
【００１７】
また、上記目的を達成するため、本発明の電源制御システムは、前記画像処理装置が、前記画像処理装置の状態情報を収集し所定の記憶領域に保持する保持手段を有し、前記第２の通信手段により受信した前記制御コマンドが前記状態情報の取得を要求するコマンドであった場合に、前記制御コマンドに従って、前記保持手段により保持している前記状態情報を、取得要求元へ応答することを特徴とする。
【００１８】
また、上記目的を達成するため、本発明の電源制御システムは、前記遠隔制御装置において、前記情報処理装置から送信される通信相手を識別する通信相手識別情報に基づいて、前記制御コマンドを送信し制御する前記画像処理装置との通信を確立することを特徴とする。
【００１９】
また、上記目的を達成するため、本発明の電源制御システムは、前記遠隔制御装置が、前記通信相手識別情報を管理する管理情報を有し、前記情報処理装置から前記状態情報の取得が要求された場合に、前記管理情報に基づいて前記画像処理装置から取得した前記状態情報を、前記情報処理装置へ応答することを特徴とする。
【００２０】
また、上記目的を達成するため、本発明の電源制御システムは、前記画像処理装置において、前記第１の電源がオフされ待機状態であった場合に、前記第２の通信手段により受信した前記制御コマンドに従って、前記電源制御手段により、前記第１の電源をオンの状態にし、前記情報処理装置から送信された前記入力データを、前記第１の通信手段により受信し、前記所定の画像処理を実行することを特徴とする。
【００２１】
これによって、本発明の電源制御システムは、例えば、通常動作時にデータ量の多い入力データなどのデータ通信を行う通信装置に比べて、少ない消費電力で動作可能な低電力無線通信装置を備え、待機時における外部機器との双方向データ通信を低電力無線通信装置のみによって行う画像処理装置と、画像処理装置の電源制御を行う制御コマンドを、画像処理装置が備える低電力無線通信装置に送信する遠隔制御装置と、遠隔制御装置に対して制御コマンドの送信を指示する情報処理装置とから構成され、情報処理装置からの制御コマンドの送信指示に従って、遠隔制御装置が画像処理装置に対して電源をオン／オフする制御コマンドを送信し、画像処理装置が備える低電力無線通信装置によって制御コマンドを受信し、画像処理装置の電源を制御することにより、制御対象である画像処理装置において、遠隔操作による最適な電源制御が可能な消費電力を最低水準にまで低下させた装置待機状態を実現することができる。
【００２２】
上記目的を達成するため、本発明の画像処理装置は、入力データに対して所定の画像処理を行う画像処理装置であって、当該画像処理装置以外の電子機器と双方向データ通信を行う第１の通信手段と、当該画像処理装置の本体に電力供給する第１の電源と異なる第２の電源から電力供給され、前記第１の通信手段に比べて少ない電力で動作する第２の通信手段と、前記第２の通信手段により受信した、当該画像処理装置の電源を制御する制御コマンドに従って、前記第１の電源のオン／オフを制御する電源制御手段とを有し、前記電源制御手段は、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御することを特徴とする。
【００２３】
また、上記目的を達成するため、本発明の画像処理装置は、当該画像処理装置が、前記画像処理装置の動作状況、又は今後行われる動作の予約状況を基に、前記第１の電源をオフすることを許可するか否かを判定する判定手段を有し、前記電源制御手段において、前記第２の通信手段により受信した前記制御コマンドが前記第１の電源オフを指示するコマンドであった場合に、前記判定手段の判定結果に基づいて、前記第１の電源をオフすることを特徴とする。
【００２４】
また、上記目的を達成するため、本発明の画像処理装置は、前記画像処理装置が、前記画像処理装置の状態情報を収集し所定の記憶領域に保持する保持手段を有し、前記第２の通信手段により受信した前記制御コマンドが前記状態情報の取得を要求するコマンドであった場合に、前記制御コマンドに従って、前記保持手段により保持している前記状態情報を、取得要求元へ応答することを特徴とする。
【００２５】
これによって、本発明の画像処理装置は、例えば、通常動作時にデータ量の多い入力データなどのデータ通信を行う通信装置に比べて、少ない消費電力で動作可能な低電力無線通信装置を備え、待機時における外部機器との双方向データ通信を低電力通信装置のみによって行う構成とし、低電力無線通信装置によって受信した制御コマンドに従って、当該装置の電源をオン／オフすることにより、制御対象である画像処理装置において、待機時の消費電力を最低水準にまで低下した状態で、当該装置の電源を制御することができる。
【００２６】
上記目的を達成するため、本発明の電源制御方法は、当該情報処理装置以外の電子機器と双方向データ通信を行う情報処理装置と、前記情報処理装置と双方向データ通信を行う第１の通信手段と、前記画像処理装置の本体に電力供給する第１の電源と異なる第２の電源から電力供給され、前記第１の通信手段に比べて少ない電力で動作する第２の通信手段と、前記画像処理装置の電源を制御する電源制御手段とを備える画像処理装置と、無線回線により双方向データ通信を行い、前記画像処理装置を遠隔制御する遠隔制御装置とから構成される電源制御システムにおける電源制御方法であって、前記遠隔制御装置が、前記情報処理装置からの要求に従って前記画像処理装置の電源を制御する制御コマンドを前記画像処理装置に送信し、前記画像処理装置が、前記遠隔制御装置から送信された前記制御コマンドを、前記第２の通信手段により受信し、前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御することを特徴とする。
【００２７】
これによって、本発明の電源制御方法は、情報処理装置からの制御コマンドの送信指示に従って、遠隔制御装置が画像処理装置に対して電源をオン／オフする制御コマンドを送信し、画像処理装置が備える低電力無線通信装置によって制御コマンドを受信し、画像処理装置の電源を制御することで、制御対象である画像処理装置において、遠隔操作による最適な電源制御が可能な消費電力を最低水準にまで低下させた装置待機状態を実現することができる。
【００２８】
上記目的を達成するため、本発明の画像処理装置における電源制御プログラムは、当該情報処理装置以外の電子機器と双方向データ通信を行う情報処理装置と、前記情報処理装置と双方向データ通信を行う第１の通信手段と、前記画像処理装置の本体に電力供給する第１の電源と異なる第２の電源から電力供給され、前記第１の通信手段に比べて少ない電力で動作する第２の通信手段と、前記画像処理装置の電源を制御する電源制御手段とを備える画像処理装置と、無線回線により双方向データ通信を行い、前記画像処理装置を遠隔制御する遠隔制御装置とから構成される電源制御システムにおける電源制御プログラムであって、コンピュータに、前記遠隔制御装置が、前記情報処理装置からの要求に従って前記画像処理装置の電源を制御する制御コマンドを前記画像処理装置に送信し、前記画像処理装置が、前記遠隔制御装置から送信された前記制御コマンドを、前記第２の通信手段により受信し、前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御するように実行させる。
【００２９】
これによって、本発明の画像処理装置における電源制御プログラムは、コンピュータを、低電力無線通信装置によって受信した制御コマンドに従って、当該装置の電源をオン／オフするように機能させることができる。
【００３０】
上記目的を達成するため、本発明の遠隔制御装置における電源制御プログラムは、入力データに対して所定の画像処理を行う画像処理装置における電源制御プログラムであって、コンピュータに、当該画像処理装置以外の電子機器と双方向データ通信を行う第１の通信手段と、当該画像処理装置の本体に電力供給する第１の電源と異なる第２の電源から電力供給され、前記第１の通信手段に比べて少ない電力で動作する第２の通信手段と、前記第２の通信手段により受信した、当該画像処理装置の電源を制御する制御コマンドに従って、前記第１の電源のオン／オフを制御する電源制御手段を機能させ、前記電源制御手段により、前記第２の通信手段で受信した前記制御コマンドが前記第１の電源オフを指示するコマンドであった場合に、前記画像処理装置の動作状況、又は今後行われる動作の予約状況に基づき、前記第１の電源のオン／オフを制御するように実行させる。
【００３１】
これによって、本発明の遠隔制御装置における電源制御プログラムは、コンピュータを、画像処理装置が電力を最低水準にまで低下した待機状態であっても、画像処理装置の電源制御を行う制御コマンドの送信を含む双方向のデータ通信が行えるように機能させることができる。
【００３２】
よって、本発明の電源制御プログラムは、コンピュータにおいて、遠隔操作による最適な電源制御が可能な消費電力を最低水準にまで低下させた装置待機状態を実現することができる。
【発明の効果】
【００３３】
本発明によれば、制御対象である画像処理装置において、遠隔操作による最適な電源制御が可能な消費電力を最低水準にまで低下させた装置待機状態を実現する電源制御システム、画像処理装置、電源制御方法、及び電源制御プログラムを提供することができる。
【発明を実施するための最良の形態】
【００３４】
以下、本発明の好適な実施の形態（以下、「実施形態」という。）について、図面を用いて詳細に説明する。
【００３５】
［第１の実施形態］
＜システム構成＞
まず、本実施形態に係る電源制御システム１のシステム構成について、図１を用いて説明する。図１は、本発明の第１の実施形態に係る電源制御システム１のシステム構成の一例を示す図である。
【００３６】
本実施形態に係る電源制御システム１は、例えば、図１に示すように、受信した印刷ジョブ（入力データ）を記録紙（印刷用紙）に印刷（出力）する画像形成機能を有する画像処理装置１００と、印刷ジョブを生成し、画像処理装置１００に送信する情報処理装置３００とが、有線及び無線回線によって双方向のデータ通信が可能な状態で接続されている。そのため、情報処理装置３００と画像処理装置１００は、有線回線による双方向データ通信を行うための第１の通信装置と、無線回線による双方向データ通信を行うための第２の通信装置をと備えている。
【００３７】
例えば、第１の通信装置は、ＵＳＢ（Universal Serial Bus）ケーブルやネットワークケーブルなどのデータ伝送路９０を介して、互いの装置間においてデータ通信を行う装置である。
【００３８】
また、第２の通信装置は、赤外線や微弱電波などにより互いの装置間においてデータ通信を行う装置である。そのため、第２の通信装置は、先に述べた第１の通信装置に比べてデータ通信可能な動作条件（例えば、「通信可能な距離」や「単位時間あたりの通信可能な最大データ量」など。）に制限があるものの、第１の通信装置に比べて少ない消費電力で動作可能である。第２の通信装置の例として、図１に示す画像処理装置１００には、内蔵型の低電力無線通信装置（詳しくは図２に示す低電力無線通信ユニットを参照のこと）が備えられ、また情報処理装置３００には、所定の接続ケーブルによって外部接続可能な低電力無線通信装置であるリモートコントローラ２００が備えられている。
【００３９】
このように、本実施形態に係る電源制御システム１では、特性の異なる通信装置を用いて、画像処理装置１００と情報処理装置３００との間で双方向データ通信を行う。よって、電源制御システム１では、例えば、所定の画像処理を要求する場合などの画像処理装置１００の通常動作時（情報処理装置３００から画像処理装置１００へ印刷ジョブが送信される場面）には、通信を行うデータ量が多いことから、第１の通信装置を用いてデータ通信を行い、また、待機状態から使用可能状態への復帰を要求した場合などの画像処理装置１００の待機時（情報処理装置３００から画像処理装置１００へ電源オンを指示する制御コマンドが送信される場面）には、通信を行うデータ量が少ないことから、第２の通信装置を用いてデータ通信を行うことで、画像処理装置１００において、第１の通信装置を動作させて待機していたときに比べて低い消費電力（最低水準にまで低下した消費電力）による待機状態を実現し、その中でも遠隔制御による最適な電源制御が可能なシステムを提供するものである。
【００４０】
ここで、本実施形態に係る電源制御システム１について補足する。本実施形態に係る電源制御システム１は、図１に示したようなデータ伝送路９０を介して互いの装置を1対1の関係で接続した構成に限らず、画像処理装置１００と情報処理装置３００とが、ＬＡＮ（Local Area Network）やＷＡＮ（Wide Area Network）などのネットワーク（データ通信網）を介して接続される構成としても良い。また、上記の説明において、第１の通信装置を有線回線による双方向データ通信を行う装置としたが、例えば、第２の通信装置より多くのデータを無線回線により送受信可能な通信装置であっても良い。以降では、画像処理装置１００や情報処理装置３００が標準的に搭載している有線回線による通信装置を、第１の通信装置として説明する。
【００４１】
＜ハードウェア構成＞
では、本実施形態に係る電源制御システム１の画像処理装置１００と情報処理装置３００（接続されるリモートコントローラ２００を含む）のハードウェア構成について、図２及び図３を用いて説明する。
【００４２】
＜＜画像処理装置（プリンタ）＞＞
図２は、本発明の第１の実施形態に係る画像処理装置１００のハードウェア構成の一例を示す図である。
【００４３】
本実施形態に係る画像処理装置１００は、主に、ＣＰＵ（Central Processing Unit）１０１と、ＲＯＭ（Read Only Memory）１０２と、ＲＡＭ（Random Access Memory）１０３と、ＡＳＩＣ（Application Specific Integrated Circuit）１０４と、ネットワークＩ／Ｆ１０５と、ビデオ書込処理回路１０６と、ＬＤ制御部１０７と、ＬＤ１０８と、操作パネル１０９と、電源回路１１０と、低電力無線通信ユニット１２０（図１において説明を行った第２の通信装置である内蔵型の低電力無線通信装置）とから構成されている。
【００４４】
画像処理装置１００では、ＣＰＵ１０１と、ＲＯＭ１０２と、ＲＡＭ１０３と、ＡＳＩＣ１０４と、ネットワークＩ／Ｆ１０５と、ビデオ書込処理回路１０６とが、それぞれバス１１１で相互に接続されている。
【００４５】
ＣＰＵ１０１は、ＲＯＭ１０２からＲＡＭ１０３上に読み出されたプログラムを実行する。例えば、当該装置がネットワークＩ／Ｆ１０５を介して情報処理装置３００から印刷ジョブを受信した場合に、ＣＰＵ１０８は、ＲＯＭ１０２からＲＡＭ１０３上に読み出されたＰＤＬ（Page Description Language）を解釈可能なプログラム（以下、「ＰＤＬパーサ」という。）を実行し、受信したデータを解釈後、ＲＡＭ１０３上にビットマップイメージを生成する（印刷画像を形成する）。ＲＯＭ１０２は、当該装置が起動するときに実行されるシステム制御に関するプログラムや各種データ、また本実施形態に係る電源制御機能に関するプログラムや各種データなどを格納している。また、ＲＡＭ１０３は、ＲＯＭ１０２から読み出された各種プログラムやデータ（参照データだけでなく処理中の中間データを含む）を一時保持する。
【００４６】
ＡＳＩＣ１０４は、ＲＡＭ１０３のメモリ制御、操作パネル１０９の画面表示、ＣＰＵ１０１への入力情報通知、ネットワークＩ／Ｆ１０５のインタフェース制御、ビデオ書込処理回路１０５への画像データ転送など、特定の用途に応じて設計された回路により上記所定の処理を実行する。ネットワークＩ／Ｆ１０５は、当該装置と情報処理装置３００との間で、データ伝送路９０などの有線回線を介して双方向のデータ通信を行うためのインタフェースである。ネットワークＩ／Ｆ１０５は、図１に示す画像処理装置１００において説明を行った第１の通信装置にあたる。
【００４７】
ビデオ書込処理回路１０６は、ＡＳＩＣ１０４によりバス１１１を介して転送された、ＲＡＭ１０３が一時保持しているビットマップデータを、ＬＤ制御部１０７によってＬＤ１０８の点滅信号に変換する。その結果、当該装置は、ＬＤ１０８を点滅信号に従って発光させ、感光体（非図示）表面に潜像を形成し、形成された潜像をトナーの塗布により現像後、所定の搬送路を経由して給紙トレイ（非図示）から装置内に搬入された印刷用紙にトナー像を転写し、定着装置（非図示）により印刷用紙に定着する画像形成動作を行っている。
【００４８】
操作パネル１０９は、ハードウェアキーとＬＣＤ（Liquid Crystal Display）などで構成され、ハードウェアキーにより当該装置に各操作信号を入力し、ＬＣＤにより、例えば当該装置の状態情報（ステータス情報）など当該装置に関する各種情報を表示する。電源回路１１０は、外部電源から当該装置に対して必要な電力を供給する。
【００４９】
低電力無線通信ユニット１２０は、当該装置と情報処理装置３００との間で、無線回線を介して双方向のデータ通信を行うため通信装置である。低電力無線通信ユニット１０２は、図１に示す画像処理装置１００において説明を行った第２の通信装置（内蔵型の低電力無線通信装置）にあたる。
【００５０】
低電力無線通信ユニット１２０は、赤外線や微弱電波などによる低電力で動作可能な無線回線による双方向データ通信を行う低電力無線通信回路１２１と、当該ユニットが有する機能を実現するために必要な各種情報を格納しているＮＶ−ＲＡＭ（Non Volatile RAM）１２２とを有している。
【００５１】
低電力無線回路１２１は、無線回線による双方向データ通信を行う他、データ通信によって受信した制御コマンドに従った電源回路１１０のスイッチング制御、すなわち電源のオン／オフを制御する。
【００５２】
ＮＶ−ＲＡＭ１２２は、低電力無線回路１２１において行う電源制御において用いる各種情報を所定の記憶領域に格納している。例えば、電源制御を行うときに用いる画像処理装置１００の状態情報などが、ＡＳＩＣ１０４により書き込まれる。
【００５３】
上記装置を備えた低電力無線通信ユニット１２０は、電源回路１１０を介して画像処理装置１００に電力供給する電源（第１の電源）と別途独立した電源（第２の電源）から動作に必要な電力が供給される。図２には、低電力無線通信ユニット１２０へ電池パック１３１（第２の電源）によって電力が供給される構成が示されている。
【００５４】
＜＜情報処理装置（ＰＣ）＞＞
図３は、本発明の第１の実施形態に係る情報処理装置１００のハードウェア構成の一例を示す図である。
【００５５】
本実施形態に係る情報処理装置３００は、入力装置３０１と、表示装置３０２と、ドライブ装置３０３と、ＲＯＭ３０５と、ＲＡＭ３０６と、ＣＰＵ３０７と、ネットワークＩ／Ｆ３０８と、ＨＤＤ（Hard Disk Drive）３０９と、外部装置Ｉ／Ｆ３１０とから構成され、それぞれバスで相互に接続されている。
【００５６】
入力装置３０１は、キーボード及びマウスなどで構成され、当該装置に各操作信号を入力するのに用いられる。表示装置３０２は、ディスプレイなどで構成され、例えば画像処理装置１００から取得した状態情報などの各種情報を表示する。ネットワークＩ／Ｆ３０８は、当該装置と画像処理装置１００との間で、データ伝送路９０などの有線回線を介して双方向のデータ通信を行うためのインタフェースである。ネットワークＩ／Ｆ３０８は、図１に示す情報処理装置３００において説明を行った第１の通信装置にあたる。ＨＤＤ３０９は、基本ソフトウェアであるＯＳ（Operating System）や、例えば本実施形態に係る電源制御機能や印刷要求機能などを含む外部機器制御に関する各種機能を有するプログラムやデータを格納している。また、ＨＤＤ３０９は、本実施形態に係る電源制御機能に用いる無線回線を介したデータ通信の相手を特定する通信相手識別情報を含む各種データを、所定のファイルシステムやＤＢ（Data Base）により管理している。
【００５７】
本実施形態に係る電源制御機能を含む各種制御プログラムは、例えばＣＤ−ＲＯＭ（Compact Disk ROM）などの記録媒体３０４によって当該装置に提供されるか、またデータ伝送路９０であるネットワークなどを通じてダウンロードされる。記録媒体３０４は、ドライブ装置３０３にセットされプログラムが記録媒体３０４からドライブ装置３０３を介してＨＤＤ３０９にインストールされる。
【００５８】
ＲＯＭ３０５は、当該装置が起動されるときに実行されるＢＩＯＳ（Basic Input/Output System）のプログラムや各種データを格納している。ＲＡＭ３０６は、ＲＯＭ３０５やＨＤＤ３０９から読み出された各種プログラムやデータを一時保持する。ＣＰＵ３０７は、ＲＡＭ３０６が一時保持しているプログラムを実行する。
【００５９】
外部装置Ｉ／Ｆ３１０は、当該装置と、所定の接続ケーブルによって外部接続可能な機器との間で、双方向のデータ通信を行うためのインタフェースである。図３には、本実施形態における当該装置に外部接続可能な機器として、当該装置と画像処理装置１００との間で、無線回線を介して双方向のデータ通信を行うためリモートコントローラ２００が接続されている構成が示されている。リモートコントローラ２００は、図１に示す情報処理装置３００において説明を行った第２の通信装置（外部接続可能な低電力無線通信装置）にあたる。
【００６０】
本実施形態に係る電源制御システム１は、図２及び図３を用いて説明を行った各ハードウェアから構成される画像処理装置１００、リモートコントローラ２００、及び情報処理装置３００を、以下に示す手順に従って動作させることによって、画像処理装置１００の電源制御を行っている。以下に示す動作手順は、画像処理装置１００を待機状態から使用可能状態に復帰する電源制御を行った場合の例である。
【００６１】
（手順１）制御コマンドの送信要求
情報処理装置３００は、接続されたリモートコントローラ２００に対して電源オンを指示する制御コマンドの送信を要求する。
【００６２】
（手順２）制御コマンドの送信
リモートコントローラ２００は、送信要求に従い、画像処理装置１００が備える低電力無線通信ユニット１２０に対して電源をオンする制御コマンドを送信する。
【００６３】
（手順３）電源制御の実行
画像処理装置１００は、自身が備える低電力無線通信ユニット１２０によって、リモートコントローラ２００から送信された制御コマンドを受信し、受信した制御コマンドに従い、当該装置の電源をオンする。
【００６４】
このように、本実施形態に係る電源制御システム１は、上記動作手順によって遠隔操作による「電源制御機能」を実現している。
【００６５】
＜電源制御機能＞
次に、本実施形態に係る電源制御システム１が有する「電源制御機能」の構成について、図５を用いて説明する。図５は、本発明の第１の実施形態に係る電源制御システム１が有する機能構成の一例を示す図である。
【００６６】
＜＜機能の概要＞＞
本実施形態に係る「電源制御機能」について簡単に説明する。
【００６７】
本実施形態では、画像処理装置１００において、第１の通信装置を動作させて待機していたときに比べて低い消費電力（最低水準にまで低下した消費電力）による待機状態を実現し、その中でも遠隔制御による最適な電源制御が可能なシステムを提供するため、画像処理装置１００の電源制御を行うために、画像処理装置１００と情報処理装置３００との間でやり取りされる制御コマンドの双方向データ通信を、従来システムのように、印刷ジョブを送受信するときに用いる第１の通信装置により行わず、電池パック１３１から電力供給され動作する画像処理装置１００が備える低電力無線通信ユニット１２０と情報処理装置３００に外部接続されるリモートコントローラ２００とを用いて行う構成とし、例えば、画像処理装置１００に対して外部電源から電源回路１１０を介して電力供給されていない状態においても、情報処理装置１００からの送信要求に応じてリモートコントローラ２００から送信された電源の制御コマンドに従って、画像処理装置１００の電源制御が可能な遠隔操作による「電源制御機能」を実現している。
【００６８】
＜＜機能構成の概要＞＞
本実施形態に係る電源制御システム１は、主に、画像処理装置１００が有する、当該装置と情報処理装置３００との間で双方向データ通信を行う第１の通信部３１（第１の通信手段）と、当該装置とリモートコントローラ２００との間で双方向データ通信を行う第２の通信部３２（第２の通信手段）と、情報処理装置３００が有する、当該装置と画像処理装置１００との間で双方向データ通信を行う第１の通信部２１と、情報処理装置３００に外部接続されるリモートコントローラ２００が有する、当該装置と画像処理装置１００との間で双方向データ通信を行う第２の通信部２２と、から構成されている。以下に、上記各機能部について説明する。
【００６９】
第１の通信部２１及び３１は、データ伝送路９０で接続される画像処理装置１００と情報処理装置３００との間でデータの送受信を行う機能である。第１の通信部２１及び３１は、画像処理装置１００が通常動作時（例えば印刷動作中などのとき）に用いる通信機能で、例えば情報処理装置１００で生成された印刷データなど、データ通信の頻度が高く比較的データ量が多いデータの送受信を行う。第１の通信部２１及び３１は、情報処理装置３００及び画像処理装置１００が備えるネットワークＩ／Ｆ１０５及び３０８が有する機能である。
【００７０】
第２の通信部２２及び３２は、赤外線や微弱電波により画像処理装置１００と情報処理装置３００との間でデータの送受信を行う低電力無線通信機能である。第２の通信部２２及び３２は、画像処理装置１００が待機時（例えば省エネモード移行時）に用いる通信機能である。例えば情報処理装置１００から送信要求される電源制御の制御コマンドなど、データ量が少ないデータの送受信を行う。第２の通信部２２は、情報処理装置３００に外部接続されるリモートコントローラ２００が備える低電力無線通信装置が有する機能で、第２の通信部３２は、画像処理装置１００が備える低電力無線通信ユニット１２０が有する機能である。
【００７１】
このように、本実施形態では、第１の通信部２１及び３１と第２の通信部２２及び３２との特性の違いを利用し、画像処理装置１００における適切な電源制御を実現している。すなわち、画像処理装置１００が待機時のデータ通信は、通常動作時に用いる通信手段に比べて消費電力の少ない通信手段を用いて行う。
【００７２】
更に、画像処理装置１００が備える低電力無線通信ユニット１２０が有する第２の通信部３２は、画像処理装置１００の電源をオフしてもよいか否かを判定する判定部３２a（判定手段）と、画像処理装置１００の電源を制御する電源制御部３２b（電源制御手段）と、画像処理装置１００に関する各種情報を格納する保持部３２c（保持手段）とを有している。
【００７３】
判定部３２aは、画像処理装置１００の動作状況又は予約されている動作状況（以下に、「動作予約状況」という。）に応じて、電源をオフしてもよいか否かを判定する機能である。画像処理装置１００には、例えば「印刷中」、「印刷ジョブ受信中」、及び「記憶装置へのデータ書き込み中」などの動作状況や、「指定時刻印刷予約あり」などの予約動作状況など、受信した制御コマンドに従った電源オフを許可できない場合がある。特に、遠隔操作により電源制御が行われる場合には、遠隔操作を行っているユーザから、制御対象の画像処理装置１００の動作状況が視覚的に確認できない場面が想定されるため、画像処理装置１００において自動判定する必要がある。よって、判定部３２aは、画像処理装置１００が通常動作時に受信した制御コマンドが「電源オフを指示するコマンド」であった場合に機能する。
【００７４】
また、判定部３２aは、画像処理装置１００が備えるＡＳＩＣ１０４から低電力無線通信ユニット１２０へ転送される画像処理装置１００の動作状況又は予約動作状況に関する情報（状態を示す信号）に基づいて判定を行う。そのため、判定部３２aは、「どの状態が電源オフを許可してはならない状態なのか」を判断するため、予め電源オフを許可しない動作状況及び予約動作状況に関する情報を保持部３２cの所定の記憶領域に格納しておき、判定の時に参照する。判定部３２aは、電源オフしてもよいと判定された場合に、電源制御部３２bに電源オフを指示する。
【００７５】
電源制御部３２bは、受信した制御コマンドに従って画像処理装置１００が備える電源回路１１０を制御し、電源のオン／オフを行う機能である。電源制御部３２bは、受信した制御コマンドが「電源オンを指示するコマンド」であった場合に、電源回路１１０へ電源オンを指示する制御コマンドを送信する。また、電源制御部３２bは、制御コマンドが「電源オフを指示するコマンド」であった場合は、判定部３２aの判定結果に従って、電源回路１１０へ電源オフを指示する制御コマンドを送信する。
【００７６】
上記判定部３２a及び電源制御部３２bは、低電力無線通信ユニット１２０が備える低電力無線回路１２１が有する機能である。
【００７７】
保持部３２cは、判定部３２aにより参照される、電源オフを許可しない動作状況又は予約動作状況に関する情報や、情報処理装置３００からの取得要求に応じて応答する画像処理装置１００の状態情報などの各種情報を、所定の記憶領域に格納し保持する機能である。画像処理装置１００の状態情報は、例えば画像処理装置１００が通常動作時から待機時に移行したときなどに、ＡＳＩＣ１０４から移行後の状態情報４１が低電力無線通信ユニット１２０へ転送され、保持部３２cに書き込まれる。保持部３２cは、低電力無線通信ユニット１２０が備えるＮＶ−ＲＡＭ１２２が有する機能である。
【００７８】
＜＜機能動作の概要＞＞
これまでに説明を行った各機能部の構成によって、本実施形態に係る電源制御システム１が有する「電源制御機能」が、どのように動作しているのかについて、３つの動作場面に基づいて説明する。
【００７９】
［動作場面１］電源オンが指示された場合の動作
動作場面の一例として、情報処理装置３００から画像処理装置１００へ電源オンが指示された場合の動作について、図５を用いて説明する。
【００８０】
図５は、本発明の第１の実施形態に係る遠隔操作による電源制御の動作例（電源オンが指示された場合）を示す図である。図５には、電源オンが指示される場面として想定される、待機状態の画像処理装置１００に対して印刷ジョブを送信し、印刷を実行する例が示されている。
【００８１】
（動作１）制御コマンドの送信
まず、情報処理装置３００は、リモートコントローラ２００が有する第２の通信部２２に対して、通信相手を識別する通信相手識別情報（例えばＩＤ情報など）と装置起動を指示する（電源オンを指示する）制御コマンドとを渡し、制御コマンドを画像処理装置１００が備える低電力無線通信ユニット１２０へ送信するように要求する。
【００８２】
リモートコントローラ２００は、第２の通信部２２により、情報処理装置３００からの送信要求に従って、制御対象となる画像処理装置１００の低電力無線通信ユニット１２０が有する第２の通信部３２へ、通信相手識別情報と電源オンを指示する制御コマンドとを送信する（図中の（１））。
【００８３】
このとき、リモートコントローラ２００が有する第２の通信部２２と、画像処理装置１００の低電力無線通信ユニット１２０が有する第２の通信部３２とは、以下に示す手順により無線回線による通信を確立する。
（通信手順１）通信相手を検索
リモートコントローラ２００が有する第２の通信部２２は、通信相手を識別する通信相手識別情報（例えばＩＤ情報など）を送信し、無線通信可能な範囲で稼働中の画像処理装置１００が有する低電力無線通信ユニット１２０を検索する。
（通信手順２）通信相手を特定
画像処理装置１００が備える低電力無線通信ユニット１２０は、第２の通信部３２により、リモートコントローラ２００からの問い合わせに対して、自身の識別情報と受信した識別情報とが一致した場合（通信相手として該当した場合）に応答する。リモートコントローラ２００が有する第２の通信部２２は、通信相手識別情報の送信に対して応答のあった画像処理装置１００が備える低電力無線通信ユニット１２０を通信相手として特定する。
（通信手順３）データ通信の確立
リモートコントローラ２００が有する第２の通信部２２は、特定した画像処理装置１００が備える低電力無線通信ユニット１２０に対して無線回線による双方向のデータ通信を確立する。
【００８４】
このように、リモートコントローラ２００と、画像処理装置１００が備える低電力無線通信ユニット１２０とは、２台の機器が通信を確立する際に、通信速度などの情報を相互に交換しながら通信設定を決定する「ネゴシエーション」を実施し、互いの間のデータ通信を確立する。この方法は、後述する他の動作場面においても同じ手順で通信を確立する。
【００８５】
リモートコントローラ２００は、上記手順により通信が確立された後に、第２の通信部２２により、低電力無線通信ユニット１２０が有する第２の通信部３２へ電源オンを指示する制御コマンドを送信する。
【００８６】
（動作２）画像処理装置の起動
画像処理装置１００が備える低電力無線通信ユニット１２０は、第２の通信部３２により制御コマンドを受信する。低電力無線通信ユニット１２０は、受信した制御コマンドに従って、第２の通信部３２が有する電源制御部３２bにより、電源がオンされるように電源回路１１０を制御し、待機状態から使用可能状態（印刷ジョブ受信待ち状態）へ移行する。その後、低電力無線通信ユニット１２０は、第２の通信部３２により、リモートコントローラ２００が有する第２の通信部２２へ、電源制御結果（使用可能状態への復帰完了の旨）を応答する（図中の（２））。
【００８７】
（動作３）印刷ジョブの送信
情報処理装置３００は、リモートコントローラ２００が有する第２の通信部２２で受信した電源制御結果に基づいて、第１の通信部２１により、画像処理装置１００が有する第１の通信部３１へ印刷ジョブを送信する（図中の（３））。このとき、情報処理装置３００と画像処理装置１００とが、ネットワークＩ／Ｆ１０５を介してＬＡＮなどのネットワークに接続されている場合、情報処理装置３００は、画像処理装置１００のＩＰアドレスを指定して印刷ジョブを送信する。
【００８８】
このように、本実施形態に係る電源制御システム１では、省エネモードなどにより待機状態の画像処理装置１００を使用可能な状態に復帰させ印刷を行う。
【００８９】
［動作場面２］状態通知が要求された場合の動作
動作場面の一例として、情報処理装置３００から画像処理装置１００へ状態通知が要求された場合の動作について、図６及び図７を用いて説明する。
【００９０】
図６は、本発明の第１の実施形態に係る状態情報４１の一例を示す図であり、図７は、本発明の第１の実施形態に係る遠隔操作による電源制御の動作例（状態通知が要求された場合）を示す図である。図７には、待機状態の画像処理装置１００に対して状態通知を要求する例が示されている。
【００９１】
まず、画像処理装置１００が要求に応じて応答する状態情報４１について説明する。図６に示すように、状態情報４１とは、画像処理装置１００に対して情報の通知要求がなされた時点での装置の状態に関する情報である。例えば、「紙なし」や「紙づまり」と言ったエラー状態に関する情報や、「用紙サイズ」、「用紙種類」、及び「用紙残量」と言った給紙トレイ状態に関する情報、また「両面ユニット装着」と言ったオプション装置の装着状態に関する情報などである。情報処理装置３００は、これらの状態情報４１を文字列で取得する。
【００９２】
（動作１）制御コマンドの送信
まず、情報処理装置３００は、リモートコントローラ２００が有する第２の通信部２２に対して、通信相手を識別する通信相手識別情報と状態情報４１の要求を指示する制御コマンドとを渡し、制御コマンドを画像処理装置１００が備える低電力無線通信ユニット１２０へ送信するように要求する。
【００９３】
リモートコントローラ２００は、第２の通信部２２により、情報処理装置３００からの送信要求に従って、取得対象となる画像処理装置１００の低電力無線通信ユニット１２０が有する第２の通信部３２へ、通信相手識別情報と状態情報４１の要求を指示する制御コマンドとを送信する（図中の（１））。
【００９４】
このとき、リモートコントローラ２００が有する第２の通信部２２と、画像処理装置１００の低電力無線通信ユニット１２０が有する第２の通信部３２とは、先に説明を行った通信確立手順により無線回線による通信を確立する。
【００９５】
（動作２）状態情報の取得
画像処理装置１００が備える低電力無線通信ユニット１２０は、第２の通信部３２により制御コマンドを受信する。その後の状態通知応答に関する動作は、制御コマンドを受信したときの画像処理装置１００の状態に応じて行われる。
・画像処理装置１００が待機時に制御コマンドを受信した場合
低電力無線通信ユニット１２０は、受信した制御コマンドに従って、第２の通信部３２により、同機能部が有する保持部３２cに格納されている状態情報４１を取得する（図中の（２））。
・画像処理装置１００が通常動作時に制御コマンドを受信した場合
低電力無線通信ユニット１２０は、受信した制御コマンドに従って、第２の通信部３２により、ＡＳＩＣ１０４から転送される状態情報４１を取得する（図中の（２））。
【００９６】
（動作３）状態情報を応答
低電力無線通信ユニット１２０は、第２の通信部３２により、保持部３２cから取得した情報を基に、状態通知の応答メッセージ（例えば所定の文字列データ）を生成する。その後、低電力無線通信ユニット１２０は、第２の通信部３２により、リモートコントローラ２００が有する第２の通信部２２へ、生成した応答メッセージを送信する（図中の（３））。
【００９７】
このように、本実施形態に係る電源制御システム１では、省エネモードなどにより待機状態の画像処理装置１００においても、装置本体を起動し使用可能な状態に復帰することなく、画像処理装置１００の状態情報４１を要求元に応答する。
【００９８】
［動作場面３］電源オフが指示された場合の動作
動作場面の一例として、情報処理装置３００から画像処理装置１００へ電源オフが指示された場合の動作について、図８を用いて説明する。
【００９９】
図８は、本発明の第１の実施形態に係る遠隔操作による電源制御の動作例（電源オフが指示された場合）を示す図である。図８には、電源オフが指示される場面として想定される、使用可能状態の画像処理装置１００に対して電源オフを指示する例が示されている。
【０１００】
（動作１）制御コマンドの送信
まず、情報処理装置３００は、リモートコントローラ２００が有する第２の通信部２２に対して、通信相手を識別する通信相手識別情報と電源オフを指示する制御コマンドとを渡し、制御コマンドを画像処理装置１００が備える低電力無線通信ユニット１２０へ送信するように要求する。
【０１０１】
リモートコントローラ２００は、第２の通信部２２により、情報処理装置３００からの送信要求に従って、制御対象となる画像処理装置１００の低電力無線通信ユニット１２０が有する第２の通信部３２へ、通信相手識別情報と装置停止を指示する（電源オフを指示する）制御コマンドとを送信する（図中の（１））。
【０１０２】
このとき、リモートコントローラ２００が有する第２の通信部２２と、画像処理装置１００の低電力無線通信ユニット１２０が有する第２の通信部３２とは、先に説明を行った通信確立手順により無線回線による通信を確立する。
【０１０３】
（動作２）画像処理装置の停止許可判定
画像処理装置１００が備える低電力無線通信ユニット１２０は、第２の通信部３２により制御コマンドを受信する。低電力無線通信ユニット１２０は、第２の通信部３２が有する判定部３２aにより、ＡＳＩＣ１０４から転送される画像処理装置１００の動作状況又は予約動作状況に関する情報を基に、保持部３２cに格納されている電源オフを許可しない動作状況又は予約動作状況に関する情報を参照し、一致する情報がなかった場合（停止可能な場合）に、受信した制御コマンドに従って、電源制御部３２bに電源オフを指示する（図中の（２））。
【０１０４】
（動作３）画像処理装置の停止
低電力無線通信ユニット１２０は、第２の通信部３２が有する電源制御部３２bにより、電源がオフされるように電源回路１１０を制御し、使用可能状態（印刷ジョブ受信待ち状態）から待機状態へ移行する。その後、低電力無線通信ユニット１２０は、第２の通信部３２により、リモートコントローラ２００が有する第２の通信部２２へ、電源制御結果（待機状態への移行完了の旨）を応答する（図中の（３））。
【０１０５】
このように、本実施形態に係る電源制御システム１では、画像処理装置１００の動作状況又は予約動作状況に応じて、使用可能な状態から省エネモードなどにより待機状態に移行する。
【０１０６】
これまでに３つの動作場面について説明を行ってきたが、上記の中で、情報処理装置３００がリモートコントローラ２００に対して送信する通信相手識別情報は、必ず情報処理装置３００からリモートコントローラ２００へ送信される構成でなくてもよく、リモートコントローラ２００に備えられた記憶装置内に予め通信相手識別情報が格納されている構成であってもよい。
【０１０７】
このように、本実施形態に係る画像処理装置１００は、通常動作時にデータ量の多い印刷ジョブなどのデータ通信を行う第１の通信部３１に比べて、少ない消費電力で動作可能な第２の通信部３２を有し、待機時における外部機器との双方向データ通信を第２の通信部３２のみによって行う構成とし、第２の通信部３２によって受信した制御コマンドに従って、当該装置の電源を制御することにより、待機時の消費電力を最低水準にまで低下した状態で、当該装置の電源を制御することができる。
【０１０８】
また、本実施形態に係る情報処理装置３００は、画像処理装置１００が備える第２の通信部３２と双方向のデータ通信可能な第２の通信部２２を有するリモートコントローラ２００を外部接続する構成としたことにより、画像処理装置１００が電力を最低水準にまで低下した待機状態であっても、画像処理装置１００の電源制御を行う制御コマンドの送信を含む双方向のデータ通信を行うことができる。
【０１０９】
このように、本実施形態に係る電源制御システム１は、上記に説明を行った画像処理装置１００、リモートコントローラ２００、及び情報処理装置３００それぞれが有する各機能部により、情報処理装置３００からの制御コマンドの送信指示に従って、リモートコントローラ２００が画像処理装置１００に対して電源をオン／オフする制御コマンドを送信し、画像処理装置１００が備える、従来の通信装置に比べて消費電力が少ない低電力無線通信ユニット１２０によって制御コマンドを受信し、画像処理装置１００の電源を制御することで、制御対象である画像処理装置１００において、遠隔操作による最適な電源制御が可能な消費電力を最低水準にまで低下させた装置待機状態を実現することができる。
【０１１０】
＜処理手順＞
上記に説明を行った本実施形態に係る「電源制御機能」の具体的な処理手順について、図９から図１７を用いて説明する。
【０１１１】
［動作場面１］電源オンを指示する場合の動作
（情報処理装置）
図９は、本発明の第１の実施形態に係る情報処理装置３００の処理手順の一例（電源をオンする場合）を示すフローチャートである。
【０１１２】
情報処理装置３００は、インストールされたプリンタドライバなどの印刷アプリケーションから印刷要求を受け付けるまで待つ（ステップＳ１０１がＮＯの場合）。
【０１１３】
情報処理装置３００は、印刷要求を受け付けると、接続されているリモートコントローラ２００に制御対象となる画像処理装置３００が備える低電力無線通信ユニット１２０を識別する通知相手識別情報を通知し（ステップＳ１０２）、リモートコントローラ２００からのネゴシエーション完了（通信ＯＫ）の通知が応答されるまで待つ（ステップＳ１０３がＮＯの場合）。
【０１１４】
情報処理装置３００は、ネゴシエーション完了の通知が応答されると（ステップＳ１０３がＹＥＳの場合）、リモートコントローラ２００に、ネゴシエーションが完了した通信相手識別情報と起動コマンド（電源オンを指示する制御コマンド）とを送信し（ステップＳ１０４）、リモートコントローラ２００からの電源オンによる起動完了の通知が応答されるまで待つ（ステップＳ１０５がＮＯの場合）。
【０１１５】
情報処理装置３００は、起動完了の通知が応答されると（ステップＳ１０５がＹＥＳの場合）、データ伝送路９０を介して画像処理装置１００が備えるネットワークＩ／Ｆ１０５へ印刷ジョブを送信する（ステップＳ１０６）。
【０１１６】
（リモートコントローラ）
図１０は、本発明の第１の実施形態に係るリモートコントローラ２００の処理手順の一例（電源をオンする場合）を示すフローチャートである。
【０１１７】
リモートコントローラ２００は、情報処理装置３００から接続ケーブルを介してデータ通信があるまで待つ（ステップＳ２０１はＮＯの場合）。
【０１１８】
リモートコントローラ２００は、情報処理装置３００からの通信を受け取ると（ステップＳ２０１がＹＥＳの場合）、制御対象である画像処理装置１００を識別する通信相手識別情報を受信するまで待つ（ステップＳ２０２がＮＯの場合）。
【０１１９】
リモートコントローラ２００は、通信相手識別情報を受信すると（ステップＳ２０２がＹＥＳの場合）、受信した通知相手識別情報を、無線通信可能な範囲で稼働中の画像処理装置１００が有する低電力無線通信ユニット１２０へ送信し（ステップＳ２０３）、通信相手に該当する（送信した通信相手識別情報と一致する）低電力無線通信ユニット１２０からの応答（ネゴシエーション完了）を待つ（ステップＳ２０４がＮＯの場合）。
【０１２０】
リモートコントローラ２００は、低電力無線通信ユニット１２０から応答があると（ステップＳ２０４がＹＥＳの場合）、その旨を情報処理装置３００へ通知する（ステップＳ２０５）。
【０１２１】
リモートコントローラ２００は、情報処理装置３００から通信相手識別情報と起動コマンドとを受信するまで待つ（ステップＳ２０６）。
【０１２２】
リモートコントローラ２００は、通信相手識別情報と起動コマンドとを受信すると（ステップＳ２０６がＹＥＳの場合）、受信したデータを、ネゴシエーション後の画像処理装置１００が備える低電力無線通信ユニット１２０に対して送信し（ステップＳ２０７）、起動完了の通知を待つ（ステップＳ２０８がＮＯの場合）。
【０１２３】
リモートコントローラ２００は、低電力無線通信ユニット１２０から、画像処理装置１００の起動完了の通知が応答されると（ステップＳ２０８がＹＥＳの場合）、その旨を情報処理装置３００へ通知する（ステップＳ２０９）。
【０１２４】
上記処理手順の中で、リモートコントローラ２００と画像処理装置１００が備える低電力無線通信ユニット１２０との間で無線回線による双方向データ通信が行われている手順は、ステップＳ２０３及びＳ２０４、ならびにステップＳ２０７及びＳ２０８である（図中の破線枠Ｐ）。
【０１２５】
（画像処理装置：低電力無線通信ユニット）
図１１は、本発明の第１の実施形態に係る画像処理装置１００の処理手順の一例（電源をオンする場合）を示すフローチャートである。
【０１２６】
画像処理装置１００が備える低電力無線通信ユニット１２０は、リモートコントローラ２００から通知相手識別情報の通知があると（ステップＳ３０１がＹＥＳの場合）、受信した旨をリモートコントローラ２００へ応答する（ステップＳ３０２）。
【０１２７】
低電力無線通信ユニット１２０は、リモートコントローラ２００とネゴシエーション後、再び、リモートコントローラ２００から通知相手識別情報と起動コマンドとを受信するまで待つ（ステップＳ３０３）。
【０１２８】
低電力無線通信ユニット１２０は、通知相手識別情報と起動コマンドとを受信すると（ステップＳ３０３がＹＥＳの場合）、受信した起動コマンドに従って、画像処理装置１００が備える電源回路１１０へ電源オンを指示し（ステップＳ３０４）、画像処理装置１００が待機状態から使用可能情報への移行が完了するまで待つ（ステップＳ３０５がＮＯの場合）。
【０１２９】
低電力無線通信ユニット１２０は、使用可能状態への移行が完了すると（ステップＳ３０５がＹＥＳの場合）、起動完了の旨をリモートコントローラ２００へ応答する（ステップＳ３０６）。
【０１３０】
画像処理装置１００は、情報処理装置３００からデータ伝送路９０を介して送信される印刷ジョブを受信するまで待つ（ステップＳ３０７がＮＯの間）。
【０１３１】
画像処理装置１００は、印刷ジョブを受信すると（ステップＳ３０７がＹＥＳの場合）、受信した印刷ジョブに対して所定の画像形成動作を実施し印刷を行う（ステップＳ３０８）。
【０１３２】
上記処理手順の中で、リモートコントローラ２００と画像処理装置１００が備える低電力無線通信ユニット１２０との間で無線回線による双方向データ通信が行われている手順は、ステップＳ３０１からＳ３０３、ならびにステップＳ３０６である（図中の破線枠Ｐ）。
【０１３３】
［動作場面２］状態通知を要求する場合の動作
（情報処理装置）
図１２は、本発明の第１の実施形態に係る情報処理装置３００の処理手順の一例（状態通知を要求する場合）を示すフローチャートである。
【０１３４】
図１２に示すように、情報処理装置３００における「状態通知が要求された場合」の処理手順は、ステップＳ４０１における状態通知要求を受け付ける点と、ステップＳ４０４における外部接続されたリモートコントローラ２００へ状態通知を要求する要求コマンドを送信する点と、ステップＳ４０５におけるリモートコントローラ２００から状態情報４１の受信を待つ点と、ステップＳ４０６における受信した状態情報４１を表示する点以外の手順において、先の図９を用いて説明を行った処理手順と同様の手順により実行される。
【０１３５】
（リモートコントローラ）
図１３は、本発明の第１の実施形態に係るリモートコントローラ２００の処理手順の一例（状態通知を要求する場合）を示すフローチャートである。
【０１３６】
図１３に示すように、リモートコントローラ２００における「状態通知が要求された場合」の処理手順は、以下に示すステップＳ５０６からＳ５０９以外の手順において、先の図１０を用いて説明を行った処理手順と同様の手順により実行される。よって、ステップＳ５０１からＳ５０５までの処理手順については説明を省略する。
【０１３７】
リモートコントローラ２００は、情報処理装置３００から通信相手識別情報と状態通知要求コマンドとを受信するまで待つ（ステップＳ５０６）。
【０１３８】
リモートコントローラ２００は、通信相手識別情報と状態通知要求コマンドとを受信すると（ステップＳ５０６がＹＥＳの場合）、受信したデータを、ネゴシエーション後の画像処理装置１００が備える低電力無線通信ユニット１２０に対して送信し（ステップＳ５０７）、状態情報４１を受信するまで待つ（ステップＳ５０８がＮＯの場合）。
【０１３９】
リモートコントローラ２００は、低電力無線通信ユニット１２０から、画像処理装置１００の状態情報４１を受信すると（ステップＳ５０８がＹＥＳの場合）、取得した状態情報４１を情報処理装置３００へ送信する（ステップＳ５０９）。
【０１４０】
（画像処理装置：低電力無線通信ユニット）
図１４は、本発明の第１の実施形態に係る画像処理装置１００の処理手順の一例（状態通知を要求する場合）を示すフローチャートである。
【０１４１】
図１４に示すように、画像処理装置１００が備える低電力無線通信ユニット１２０における「状態通知が要求された場合」の処理手順は、以下に示すステップＳ６０３からＳ６０６以外の手順において、先の図１１を用いて説明を行った処理手順と同様の手順により実行される。よって、ステップＳ６０１及びＳ６０２の処理手順については説明を省略する。
【０１４２】
低電力無線通信ユニット１２０は、リモートコントローラ２００とネゴシエーション後、再び、リモートコントローラ２００から通知相手識別情報と状態通知要求コマンドとを受信するまで待つ（ステップＳ６０３）。
【０１４３】
低電力無線通信ユニット１２０は、通知相手識別情報と状態通知要求コマンドとを受信すると（ステップＳ６０３がＹＥＳの場合）、受信した状態通知要求コマンドに従って、低電力無線通信ユニット１２０が備えるＮＶ−ＲＡＭ１２２に格納されている状態情報４１を読み出し（ステップＳ６０４）、格納された状態情報４１を取得するまで待つ（ステップＳ６０５がＮＯ場合）。
【０１４４】
低電力無線通信ユニット１２０は、状態情報４１の取得が完了すると（ステップＳ６０５がＹＥＳの場合）、取得した状態情報４１をリモートコントローラ２００へ通知する（ステップＳ６０６）。
【０１４５】
また、上記ステップＳ６０４の処理手順では、画像処理装置１００が待機状態である場合の例を示したが、使用可能状態の場合には、ＡＳＩＣ１０４から転送された状態情報４１をリモートコントローラ２００へ通知する。
【０１４６】
［動作場面３］電源オフを指示する場合の動作
（情報処理装置）
図１５は、本発明の第１の実施形態に係る情報処理装置３００の処理手順の一例（電源をオフする場合）を示すフローチャートである。
【０１４７】
図１５に示すように、情報処理装置３００における「電源オフを指示する場合」の処理手順は、以下に示すステップＳ７０３からＳ７０６以外の手順において、先の図９を用いて説明を行った処理手順と同様の手順により実行される。よって、ステップＳ７０１及びＳ７０２の処理手順については説明を省略する。
【０１４８】
情報処理装置３００は、ネゴシエーション完了の通知が応答されると（ステップＳ７０２がＹＥＳの場合）、リモートコントローラ２００に、ネゴシエーションが完了した通信相手識別情報と電源断要求コマンド（電源オフを指示する制御コマンド）とを送信する（ステップＳ７０３）。
【０１４９】
情報処理装置３００は、リモートコントローラ２００から電源断完了の通知が応答されると（ステップＳ７０４がＹＥＳの場合）、処理を終了する。
【０１５０】
また、情報処理装置３００は、通知された応答が、電源をオフすることができなかった旨を示す電源断拒絶の通知であった場合（ステップＳ７０４がＮＯで、かつステップＳ７０５がＹＥＳの場合）、電源オフできなかった旨を表示装置３０２に表示する（ステップＳ７０６）。
【０１５１】
情報処理装置３００は、リモートコントローラ２００から応答がない場合には（ステップＳ７０４及びＳ７０５の両方がＮＯの場合）、応答が通知されるまで待つ。
【０１５２】
（リモートコントローラ）
図１６は、本発明の第１の実施形態に係るリモートコントローラ２００の処理手順の一例（電源をオフする場合）を示すフローチャートである。
【０１５３】
図１６に示すように、リモートコントローラ２００における「電源オフを指示する場合」の処理手順は、以下に示すステップＳ８０６からＳ８１１以外の手順において、先の図１０を用いて説明を行った処理手順と同様の手順により実行される。よって、ステップＳ８０１からＳ８０５までの処理手順については説明を省略する。
【０１５４】
リモートコントローラ２００は、情報処理装置３００から通信相手識別情報と電源断要求コマンドとを受信するまで待つ（ステップＳ８０６）。
【０１５５】
リモートコントローラ２００は、通信相手識別情報と電源断要求コマンドとを受信すると（ステップＳ８０６がＹＥＳの場合）、受信したデータを、ネゴシエーション後の画像処理装置１００が備える低電力無線通信ユニット１２０に対して送信し（ステップＳ８０７）、電源オフによる電源断完了の通知を待つ（ステップＳ８０８がＮＯの場合）。
【０１５６】
リモートコントローラ２００は、低電力無線通信ユニット１２０から、画像処理装置１００の電源断完了の通知が応答されると（ステップＳ８０８がＹＥＳの場合）、電源断完了の旨を情報処理装置３００へ通知する（ステップＳ８０９）。
【０１５７】
また、リモートコントローラ２００は、通知された応答が、電源をオフすることができなかった旨を示す電源断拒絶の通知であった場合（ステップＳ８０８がＮＯで、かつステップＳ８１０がＹＥＳの場合）、電源断拒絶の旨を情報処理装置３００へ通知する（ステップＳ８１１）。
【０１５８】
リモートコントローラ２００は、低電力無線通信ユニット１２０から応答がない場合には（ステップＳ８０８及びＳ８１０の両方がＮＯの場合）、応答が通知されるまで待つ。
【０１５９】
（画像処理装置：低電力無線通信ユニット）
図１７は、本発明の第１の実施形態に係る画像処理装置１００の処理手順の一例（電源をオフする場合）を示すフローチャートである。
【０１６０】
図１７に示すように、画像処理装置１００が備える低電力無線通信ユニット１２０における「電源オフを指示する場合」の処理手順は、以下に示すステップＳ９０３からＳ９１０以外の手順において、先の図１１を用いて説明を行った処理手順と同様の手順により実行される。よって、ステップＳ９０１及びＳ９０２の処理手順については説明を省略する。
【０１６１】
低電力無線通信ユニット１２０は、リモートコントローラ２００とネゴシエーション後、再び、リモートコントローラ２００から通知相手識別情報と電源断要求コマンドとを受信するまで待つ（ステップＳ９０３）。
【０１６２】
低電力無線通信ユニット１２０は、通知相手識別情報と電源断要求コマンドとを受信すると（ステップＳ９０３がＹＥＳの場合）、画像処理装置１００が印刷中又は印刷予約済みであるかなどの動作状況又は予約動作状況を基に、ＮＶ−ＲＡＭ１２２に格納してある電源オフが許可されない動作状況及び予約動作状況に関する情報を参照し、電源をオフしてもよいか否かを判断する（ステップＳ９０４）。
【０１６３】
低電力無線通信ユニット１２０は、電源オフを許可してもよいと判断された場合（ステップＳ９０４がＹＥＳの場合）、受信した電源断要求コマンドに従って、画像処理装置１００が備える電源回路１１０へ電源オフを指示し（ステップＳ９０５）、画像処理装置１００が待機状態から使用可能情報への移行が完了するまで待つ（ステップＳ９０６がＮＯの場合）。
【０１６４】
低電力無線通信ユニット１２０は、使用可能状態への移行が完了すると（ステップＳ９０６がＹＥＳの場合）、電源断完了の旨をリモートコントローラ２００へ応答する（ステップＳ９０７）。
【０１６５】
また、低電力無線通信ユニット１２０は、電源オフを許可できない判断された場合（ステップＳ９０４がＮＯの場合）、電源断拒絶の旨をリモートコントローラ２００へ応答する（ステップＳ９０８）。
【０１６６】
＜まとめ＞
以上のように、本発明の第１の実施形態によれば、本実施形態に係る電源制御システム１は、情報処理装置１００からの制御コマンドの送信指示に従って、リモートコントローラ２００が画像処理装置１００に対して電源をオン／オフする制御コマンドを送信し、画像処理装置１００が備える、従来の通信装置に比べて消費電力が少ない低電力無線通信ユニット１２０によって制御コマンドを受信し、画像処理装置１００の電源を制御する。
【０１６７】
これによって、本実施形態に係る電源制御システム１は、遠隔操作による最適な電源制御を行うことができ、画像処理装置１００の消費電力を最低水準にまで低下させた待機状態を実現可能な「電源制御機能」を提供することができる。
【０１６８】
よって、本実施形態に係る電源制御システム１は、従来より少ない消費電力で画像処理装置１００の待機状態を実現し、ユーザに利便性の高い電源制御機能を提供することができる。
【０１６９】
［第２の実施形態］
第１の実施形態では、電源制御を指示する情報処理装置３００と制御対象の画像処理装置１００とが１台ずつで構成される電源制御システム１について説明を行った。第２の実施形態では、よりユーザ環境に近いシステム構成において実施した場合の例を示す。すなわち、情報処理装置３００と画像処理装置１００とが複数台で構成される電源制御システム１である。
【０１７０】
図１８は、本発明の第２の実施形態に係る電源制御システム１のシステム構成の一例を示す図である。
【０１７１】
本実施形態に係る電源制御システム１は、複数の情報処理装置３００ｎと複数の画像処理装置１００ｎとが、集線装置であるＨＵＢ４００を経由してネットワークケーブルなどのデータ伝送路９０で接続されている。また、情報処理装置３００からの要求に従って、画像処理装置１００を遠隔制御するリモートコントローラ２００も、ＨＵＢ４００にデータ伝送路９０にて接続されている。
【０１７２】
本実施形態に係る電源制御システム１は、このようシステム構成によって、複数の画像処理装置１００の電源制御が可能な「電源制御機能」を実現している。
【０１７３】
以降に、本実施形態に係る電源制御システム１について説明を行うが、第１の実施形態において説明を行った点と同じ技術的事項については、その説明を省略する。
【０１７４】
＜電源制御管理＞
次に、本実施形態に係る電源制御システム１が有する「電源制御機能」の構成について、図１９を用いて説明する。図１９は、本発明の第２の実施形態に係る電源制御システムが有する機能構成の一例を示す図である。
【０１７５】
＜＜機能構成の概要＞＞
本実施形態に係る電源制御システム１は、主に、画像処理装置１００が有する、当該装置と情報処理装置３００との間で双方向データ通信を行う第１の通信部３１（第１の通信手段）と、当該装置とリモートコントローラ２００との間で双方向データ通信を行う第２の通信部３２（第２の通信手段）と、情報処理装置３００が有する、当該装置と画像処理装置１００との間で双方向データ通信を行う第１の通信部２１と、リモートコントローラ２００が有する、当該装置と画像処理装置１００との間で双方向データ通信を行う第２の通信部２２と、から構成されている。また、画像処理装置１００が有する第２の通信部３２は、当該装置の電源をオフしてもよいか否かを判定する判定部３２a（判定手段）と、当該装置の電源を制御する電源制御部３２b（電源制御手段）と、当該装置に関する各種情報を格納する保持部３２c（保持手段）とを有している。
【０１７６】
このように、本実施形態に係る機能構成は、第１の実施形態において説明を行った機能構成と基本構成は同じである。但し、以下に挙げる点について異なる。
【０１７７】
（リモートコントローラ）
リモートコントローラ２００が有する第２の通信部２２は、無線通信可能な範囲の複数の画像処理装置１００ｎ（通信相手）を識別するための複数の通信相手識別情報を管理する管理情報（以下、「通信相手識別管理情報」という。）を保持している。
【０１７８】
図２０は、本発明の第２の実施形態に係る通信相手識別情報５１の一例を示す図である。図２０では、無線回線による通信を確立するために必要なＩＤ情報である、画像処理装置１００が備える低電力無線通信ユニット１２０を識別する通信相手識別情報が、所定のデータ形式で管理されている例が示されている。このような通信相手識別管理情報５１は、例えば、低電力無線通信装置に備えられた不揮発性の記憶装置に格納され保持される。第２の通信部２２は、第１の実施形態において説明を行った機能のほか、通信相手識別管理情報５１を参照し、制御対象となっている複数の画像処理装置１００ｎそれぞれから定期的に状態情報４１を取得する機能を有している。
【０１７９】
また、リモートコントローラ２００は、当該装置と情報処理装置３００との間で双方向データ通信を行う第１の通信部２３を有している。
【０１８０】
＜＜機能動作の概要＞＞
本実施形態に係る電源制御システム１が有する「電源制御機能」が、どのように動作しているのかについて、２つの動作場面に基づいて説明する。
【０１８１】
［動作場面１］電源オンが指示された場合の動作
動作場面の一例として、情報処理装置３００から画像処理装置１００へ電源オンが指示された場合の動作について、図２１及び図２２を用いて説明する。図２１及び図２２は、本発明の第２の実施形態に係る遠隔操作により電源制御の動作例（電源オンが指示された場合）を示す図である。図２１及び図２２には、電源オンが指示される場面として想定される、待機状態の画像処理装置１００に対して印刷ジョブを送信し、印刷を実行する例が示されている。
【０１８２】
（動作１）制御コマンドの送信
まず、情報処理装置３００は、リモートコントローラ２００が有する第２の通信部２２に対して、通信相手を識別する通信相手識別情報（ID:1000）と装置起動を指示する（電源オンを指示する）制御コマンドとを渡し、制御コマンドを画像処理装置１００が備える低電力無線通信ユニット１２０へ送信するように要求する。このとき、情報処理装置３００は、第１の通信部２１により、リモートコントローラ２００のＩＰアドレス（192.168.xxx.xxx）を指定し、上記情報とコマンドとを、リモートコントローラ２００へ送信する（図２１（a）の（１））。その結果、リモートコントローラ２００は、第１の通信部２３により、上記情報とコマンドを情報処理装置３００から受信し、第２の通信部２２へ転送する。
【０１８３】
リモートコントローラ２００は、第２の通信部２２により、情報処理装置３００からの送信要求に従って、制御対象となる画像処理装置１００の低電力無線通信ユニット１２０が有する第２の通信部３２へ、通信相手識別情報と電源オンを指示する制御コマンドとを送信する。
【０１８４】
このとき、リモートコントローラ２００が有する第２の通信部２２と、画像処理装置１００の低電力無線通信ユニット１２０が有する第２の通信部３２とは、第１の実施形態において説明を行った通信確立手順と同じ手順により無線回線による通信を確立する。
【０１８５】
但し、本実施形態に係る電源制御システム１の場合、第１の実施形態に示すシステム構成と異なり、制御対象となる画像処理装置３００が複数存在するため、情報処理装置３００が制御指定した画像処理装置１００を特定しなければならない。そのため、本実施形態では、図２１（b）に示すように、リモートコントローラ２００が有する第２の通信部２２により、情報処理装置１００から受信した通信相手識別情報（ID:1000）を基に、所定の通信確立手順（無線通信可能な範囲にある装置全てに対して通信相手識別情報を送信し一致する装置を特定する）によって無線回線による通信を確立する。更に、本実施形態に係るリモートコントローラ２００が有する第２の通信部２２は、特定の画像処理装置１００ｎと無線データ通信を行うものではないため、内部的に決まった通信相手識別情報を保持しておくと言う構成では対応できない。そこで、第２の通信部２２では、情報処理装置３００から受信した通信相手識別情報を用いて画像処理装置１００との通信を確立する構成としている。
【０１８６】
リモートコントローラ２００は、上記の方法によって通信が確立された後に、第２の通信部２２により、低電力無線通信ユニット１２０が有する第２の通信部３２へ電源オンを指示する制御コマンドを送信する（図２１（a）の（２））。
【０１８７】
（動作２）画像処理装置の起動
画像処理装置１００が備える低電力無線通信ユニット１２０は、第２の通信部３２により制御コマンドを受信する。低電力無線通信ユニット１２０は、受信した制御コマンドに従って、第２の通信部３２が有する電源制御部３２bにより、電源がオンされるように電源回路１１０を制御し、待機状態から使用可能状態（印刷ジョブ受信待ち状態）へ移行する（図２１（a）の（３））。その後、低電力無線通信ユニット１２０は、第２の通信部３２により、リモートコントローラ２００が有する第２の通信部２２へ、電源制御結果（使用可能状態への復帰完了の旨）を応答する（図２１（a）の（４））。
【０１８８】
（動作３）印刷ジョブの送信
情報処理装置３００は、リモートコントローラ２００が有する第２の通信部２２で受信した電源制御結果に基づいて、第１の通信部２１により、画像処理装置１００が有する第１の通信部３１へ印刷ジョブを送信する（図２２の（５））。このとき、情報処理装置３００は、画像処理装置１００のＩＰアドレスを指定して印刷ジョブを送信する。
【０１８９】
このように、本実施形態に係る電源制御システム１では、省エネモードなどにより待機状態の画像処理装置１００を使用可能な状態に復帰させ印刷を行う（図２２の（６））。
【０１９０】
［動作場面２］状態通知が要求された場合の動作
動作場面の一例として、情報処理装置３００から画像処理装置１００へ状態通知が要求された場合の動作について、図２３から図２５を用いて説明する。
【０１９１】
図２３から図２５は、本発明の第２の実施形態に係る遠隔操作による電源制御の動作例（状態通知が要求された場合）を示す図である。図２３には、待機状態の画像処理装置１００に対して状態通知を要求する例が示されている。また、図２５には、リモートコントローラ２００に対して状態通知を要求する例が示されている。
【０１９２】
図２３及び図２５に示されるように、本実施形態に係る電源制御システム１では、「画像処理装置１００から取得する方法」と「リモートコントローラ２００から取得する方法」の２つの方法によって、画像処理装置１００の状態情報４１を取得することができる。
【０１９３】
まずは、「画像処理装置１００から取得する方法」の動作について説明する。
【０１９４】
（動作１）制御コマンドの送信
まず、情報処理装置３００は、リモートコントローラ２００が有する第２の通信部２２に対して、通信相手を識別する通信相手識別情報と状態情報４１の要求を指示する制御コマンドとを渡し、制御コマンドを画像処理装置１００が備える低電力無線通信ユニット１２０へ送信するように要求する。このとき、情報処理装置３００は、第１の通信部２１により、リモートコントローラ２００のＩＰアドレス（192.168.xxx.xxx）を指定し、上記情報とコマンドとを、リモートコントローラ２００へ送信する（図２３の（１））。その結果、リモートコントローラ２００は、第１の通信部２３により、上記情報とコマンドを情報処理装置３００から受信し、第２の通信部２２へ転送する。
【０１９５】
リモートコントローラ２００は、第２の通信部２２により、情報処理装置３００からの送信要求に従って、取得対象となる画像処理装置１００の低電力無線通信ユニット１２０が有する第２の通信部３２へ、通信相手識別情報と状態情報４１の要求を指示する制御コマンドとを送信する（図２３の（２））。
【０１９６】
このとき、リモートコントローラ２００が有する第２の通信部２２と、画像処理装置１００の低電力無線通信ユニット１２０が有する第２の通信部３２とは、第１の実施形態において説明を行った通信確立手順と同じ手順により無線回線による通信を確立する。
【０１９７】
（動作２）状態情報の取得
画像処理装置１００が備える低電力無線通信ユニット１２０は、第２の通信部３２により制御コマンドを受信する。その後の状態通知応答に関する動作は、制御コマンドを受信したときの画像処理装置１００の状態に応じて行われる。
・画像処理装置１００が待機時に制御コマンドを受信した場合
低電力無線通信ユニット１２０は、受信した制御コマンドに従って、第２の通信部３２により、同機能部が有する保持部３２cに格納されている状態情報４１を取得する（図２３の（３））。
・画像処理装置１００が通常動作時に制御コマンドを受信した場合
低電力無線通信ユニット１２０は、受信した制御コマンドに従って、第２の通信部３２により、ＡＳＩＣ１０４から転送される状態情報４１を取得する（図２３の（３））。
【０１９８】
（動作３）状態情報を応答
低電力無線通信ユニット１２０は、第２の通信部３２により、保持部３２cから取得した情報を基に、状態通知の応答メッセージ（例えば所定の文字列データ）を生成する。その後、低電力無線通信ユニット１２０は、第２の通信部３２により、リモートコントローラ２００が有する第２の通信部２２へ、生成した応答メッセージを送信する（図２３の（４））。その後、リモートコントローラ２００は、第２の通信部２２により受信した応答メッセージを、第１の通信部２３により、情報処理装置３００が有する第１の通信部２１へ送信する（図２３の（５））。
【０１９９】
このように、本実施形態に係る電源制御システム１では、省エネモードなどにより待機状態の画像処理装置１００においても、装置本体を起動し使用可能な状態に復帰することなく、画像処理装置１００の状態情報４１を要求元に応答する。
【０２００】
次に、「リモートコントローラ２００から取得する方法」の動作について説明する。先に説明を行った「画像処理装置１００から取得する方法」の動作との違いは、「（動作２）状態情報の取得」と「（動作３）状態情報の応答」である。
【０２０１】
（動作２）状態情報の取得
画像処理装置１００が備える低電力無線通信ユニット１２０は、第２の通信部３２により制御コマンドを受信する。その後の状態通知応答に関する動作は、全てリモートコントローラ２００によって行われる。
【０２０２】
図２４には、リモートコントローラ２００が画像処理装置１００から状態情報４１を取得する例が示されている。図２４に示すように、リモートコントローラ２００は、第２の通信部２２により、通信相手識別管理情報５１を基に、制御対象である複数の画像処理装置１００ｎから、それぞれの状態情報４１を定期的に取得しておく。その結果、リモートコントローラ２００は、第２の通信部２２により、取得した画像処理装置１００ｎごとの状態情報４１を記憶装置の所定の記憶領域に格納し保持する（図２５の（２））。
【０２０３】
（動作３）状態情報を応答
リモートコントローラ２００は、第１の通信部２３により、情報処理装置３００が有する第１の通信部２１へ、保持しておいた状態情報４１を基に、状態通知の応答メッセージ（例えば所定の文字列データ）を生成し、生成した応答メッセージを送信する（図２５の（３））。その後、リモートコントローラ２００は、第２の通信部２２により受信した応答メッセージを、第１の通信部２３により、情報処理装置３００が有する第１の通信部２１へ送信する（図２３の（５））。
【０２０４】
このように、本実施形態に係る電源制御システム１では、状態通知を要求する複数の情報処理装置３００ｎから共通して利用されるリモートコントローラ２００が、画像処理装置１００に代わって状態情報４１を応答する。これによって、省エネモードなどにより待機状態の画像処理装置１００においても、低電力無線通信ユニット１２０へアクセスすることなく、画像処理装置１００の状態情報４１を要求元に応答する。よって、リモートコントローラ２００と低電力無線通信ユニット１２０との間で行うネゴシエーションにかかる時間を短縮し、迅速に応答することができる。
【０２０５】
＜処理手順＞
上記に説明を行った本実施形態に係る「電源制御機能」の中で、「動作場面２」におけるリモートコントローラ２００の具体的な処理手順について、図２６を用いて説明する。
【０２０６】
図２６は、本発明の第２の実施形態に係るリモートコントローラの処理手順の一例（状態通知を要求する場合）を示すフローチャートである。
【０２０７】
リモートコントローラ２００は、情報処理装置３００からの要求に対して、状態通知要求か否かを判断する（ステップＳ１００１）。
【０２０８】
リモートコントローラ２００は、状態通知要求であった場合（ステップＳ１００１がＹＥＳの場合）、予め画像処理装置１００から取得し記憶装置に保持しておいた画像処理装置１００ごとの状態情報４１を読み出し（ステップ１００２）、読み出した状態情報４１を、情報処理装置３００へ送信する（ステップＳ１００３）。その後は、ステップＳ１００１の処理手順へ移行する。
【０２０９】
また、リモートコントローラ２００は、状態通知要求でなかった場合（ステップＳ１００１がＮＯの場合）、予め設定されている所定時間を経過したか否かを判定する（ステップＳ１００４）。
【０２１０】
リモートコントローラ２００は、所定時間経過したと判定した場合（ステップＳ１００４がＹＥＳの場合）、不揮発性の記憶装置に保持されている通信相手識別管理情報５１と、状態通知要求コマンドとを、ネゴシエーション後の画像処理装置１００が備える低電力無線通信ユニット１２０に対して送信し（ステップＳ１００５）、状態情報４１を受信するまで待つ（ステップＳ１００６がＮＯの場合）。
【０２１１】
リモートコントローラ２００は、低電力無線通信ユニット１２０から、画像処理装置１００の状態情報４１を受信すると（ステップＳ１００６がＹＥＳの場合）、取得した状態情報４１を記憶装置に記憶し（ステップＳ１００７）、ステップＳ１００１の処理手順へ移行する。また、リモートコントローラ２００は、まだ所定時間経過していないと判定された場合（ステップＳ１００４がＮＯの場合）、ステップＳ１００１の処理手順へ移行する。
【０２１２】
＜まとめ＞
以上のように、本発明の第２の実施形態によれば、本実施形態に係る電源制御システム１は、複数の情報処理装置３００ｎと複数の画像処理装置１００ｎとから構成されるシステムにおいても、情報処理装置３００の制御コマンドの送信指示に従って、リモートコントローラ２００が画像処理装置１００に対して電源をオン／オフする制御コマンドを送信し、画像処理装置１００が備える、従来の通信装置に比べて消費電力が少ない低電力無線通信ユニット１２０によって制御コマンドを受信し、画像処理装置１００の電源を制御する。
【０２１３】
これによって、本実施形態に係る電源制御システム１は、第１の実施形態と同様の効果を奏することができる。
【０２１４】
ここまで、上記第１及び第２の実施形態に基づき本発明の説明を行ってきたが、各実施形態に係る電源制御システム１が有する「電源制御機能」は、図９から図１７に示した各処理手順と図２６に示した各処理手順を、上記各実施形態に係る画像処理装置１００と情報処理装置３００のそれぞれの動作環境（プラットフォーム）にあったプログラミング言語でコード化したプログラムとしてコンピュータで実行することで実現することができる。よって、本発明の各実施形態に係る電源制御プログラムは、コンピュータが読み取り可能な記憶媒体３０４などに格納することができる。
【０２１５】
よって、本実施形態に係る電源制御プログラムは、フロッピー（登録商標）ディスク、ＣＤ（Compact Disc）、ＤＶＤ（Digital Versatile Disk）などの記録媒体３０４に記憶させることによって、これらの記憶媒体３０４を読み取り可能なドライブ装置３０３に接続された記録媒体３０４から、情報処理装置３００にインストールすることができる。また、画像処理装置１００及び情報処理装置３００は、それぞれにおいてネットワークＩ／Ｆ１０５及び３０８を有していることから、インターネットなどの電気通信回線を介して電源制御プログラムをダウンロードし、インストールすることもできる。
【０２１６】
また、上記第１及び第２の実施形態において、画像処理装置１００の一例としてプリンタ（画像形成機能を有する画像処理装置）を例に説明を行ってきたが、本発明は、プリンタに限定されるものではない。例えば、スキャナ機能、ＦＡＸ機能、コピー機能のいずれか１つの機能のみを有する装置や、これらの機能とプリンタ機能とを複合して搭載する装置などであってもよい。
【０２１７】
最後に、上記実施形態に挙げた形状に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【図面の簡単な説明】
【０２１８】
【図１】本発明の第１の実施形態に係る電源制御システムのシステム構成の一例を示す図である。
【図２】本発明の第１の実施形態に係る画像処理装置のハードウェア構成の一例を示す図である。
【図３】本発明の第１の実施形態に係る情報処理装置のハードウェア構成の一例を示す図である。
【図４】本発明の第１の実施形態に係る電源制御システムが有する機能構成の一例を示す図である。
【図５】本発明の第１の実施形態に係る遠隔操作による電源制御の動作例（電源オンが指示された場合）を示す図である。
【図６】本発明の第１の実施形態に係る状態情報の一例を示す図である。
【図７】本発明の第１の実施形態に係る遠隔操作による電源制御の動作例（状態通知が要求された場合）を示す図である。
【図８】本発明の第１の実施形態に係る遠隔操作による電源制御の動作例（電源オフが指示された場合）を示す図である。
【図９】本発明の第１の実施形態に係る情報処理装置の処理手順の一例（電源をオンする場合）を示すフローチャートである。
【図１０】本発明の第１の実施形態に係るリモートコントローラの処理手順の一例（電源をオンする場合）を示すフローチャートである。
【図１１】本発明の第１の実施形態に係る画像処理装置の処理手順の一例（電源をオンする場合）を示すフローチャートである。
【図１２】本発明の第１の実施形態に係る情報処理装置の処理手順の一例（状態通知を要求する場合）を示すフローチャートである。
【図１３】本発明の第１の実施形態に係るリモートコントローラの処理手順の一例（状態通知を要求する場合）を示すフローチャートである。
【図１４】本発明の第１の実施形態に係る画像処理装置の処理手順の一例（状態通知を要求する場合）を示すフローチャートである。
【図１５】本発明の第１の実施形態に係る情報処理装置の処理手順の一例（電源をオフする場合）を示すフローチャートである。
【図１６】本発明の第１の実施形態に係るリモートコントローラの処理手順の一例（電源をオフする場合）を示すフローチャートである。
【図１７】本発明の第１の実施形態に係る画像処理装置の処理手順の一例（電源をオフする場合）を示すフローチャートである。
【図１８】本発明の第２の実施形態に係る電源制御システムのシステム構成の一例を示す図である。
【図１９】本発明の第２の実施形態に係る電源制御システムが有する機能構成の一例を示す図である。
【図２０】本発明の第２の実施形態に係る通信相手識別情報の一例を示す図である。
【図２１】本発明の第２の実施形態に係る遠隔操作により電源制御の動作例（電源オンが指示された場合：その１）を示す図である。
【図２２】本発明の第２の実施形態に係る遠隔操作により電源制御の動作例（電源オンが指示された場合：その２）を示す図である。
【図２３】本発明の第２の実施形態に係る遠隔操作により電源制御の動作例（状態通知が要求された場合：その１）を示す図である。
【図２４】本発明の第２の実施形態に係る遠隔操作により電源制御の動作例（状態通知が要求された場合：その２）を示す図である。
【図２５】本発明の第２の実施形態に係る遠隔操作により電源制御の動作例（状態通知が要求された場合：その３）を示す図である。
【図２６】本発明の第２の実施形態に係るリモートコントローラの処理手順の一例（状態通知を要求する場合）を示すフローチャートである。
【符号の説明】
【０２１９】
１  電源制御システム
２１  第１の通信部（情報処理装置側）
２２  第２の通信部（リモートコントローラ側：低電力無線通信機能）
２３  第１の通信部（リモートコントローラ側）
３１  第１の通信部（画像処理装置側）
３２  第２の通信部（画像処理装置側：低電力無線通信機能）
３２a  判定部
３２b  電源制御部
３２c  保持部
４１  状態情報
５１  通信相手識別管理情報
９０  データ伝送路（例えばネットワークなど）
１００  画像処理装置
１０１  ＣＰＵ
１０２  ＲＯＭ
１０３  ＲＡＭ
１０４  ＡＳＩＣ
１０５  ネットワークＩ／Ｆ（有線）
１０６  ビデオ書込処理回路
１０７  ＬＤ制御部
１０８  ＬＤ
１０９  操作パネル
１１０  電源回路
１１１  バス
１２０  低電力無線通信ユニット
１２１  低電力無線回路
１２２  ＮＶ−ＲＡＭ
１３１  電池パック
２００  リモートコントローラ
３００  情報処理装置
３０１  入力装置
３０２  表示装置
３０３  ドライブ装置
３０４  記録媒体
３０５  ＲＯＭ
３０６  ＲＡＭ
３０７  ＣＰＵ
３０８  ネットワークＩ／Ｆ（有線）
３０９  ＨＤＤ
３１０  外部機器Ｉ／Ｆ
４００  ＨＵＢ（集線装置）
Ｐ  無線回線によりデータ通信を行っている処理手順
【図１】
0004999659.tif 000002
【図２】
0004999659.tif 000003
【図３】
0004999659.tif 000004
【図４】
0004999659.tif 000005
【図５】
0004999659.tif 000006
【図６】
0004999659.tif 000007
【図７】
0004999659.tif 000008
【図８】
0004999659.tif 000009
【図９】
0004999659.tif 000010
【図１０】
0004999659.tif 000011
【図１１】
0004999659.tif 000012
【図１２】
0004999659.tif 000013
【図１３】
0004999659.tif 000014
【図１４】
0004999659.tif 000015
【図１５】
0004999659.tif 000016
【図１６】
0004999659.tif 000017
【図１７】
0004999659.tif 000018
【図１８】
0004999659.tif 000019
【図１９】
0004999659.tif 000020
【図２０】
0004999659.tif 000021
【図２１】
0004999659.tif 000022
【図２２】
0004999659.tif 000023
【図２３】
0004999659.tif 000024
【図２４】
0004999659.tif 000025
【図２５】
0004999659.tif 000026
【図２６】
0004999659.tif 000027